(57)【特許請求の範囲】
【請求項１】
使用者の陰茎及び陰嚢をそれぞれ取り出しできる陰茎開口部及び陰嚢開口部を有するパンツ本体と、
両端が開放されたチューブ形状を有し、一端が前記陰茎開口部に結合され、前記陰茎開口部を通して前記パンツ本体から突き出た陰茎が収容される陰茎収容部であって、長手方向に沿って切り開かれ、前記切り開かれた部分には、前記陰茎収容部に収容された陰茎が外部に露出できるように結合手段が設けられている陰茎収容部と、
一端が前記陰嚢開口部に結合され、前記陰嚢開口部を通して前記パンツ本体から突き出た陰嚢が収容される陰嚢収容部と、
を含むことを特徴とする男性用健康パンツ。
【請求項２】
前記陰茎収容部の前記切開部分が相互に重畳するように配置され、前記結合手段が前記重畳された部分に設けられている、請求項１記載の男性用健康パンツ。
【請求項３】
前記陰嚢収容部の先端部が開放されている、請求項１記載の男性用健康パンツ。
【請求項４】
前記陰嚢収容部が、その先端部を開閉する開閉手段をさらに含む、請求項３記載の男性用健康パンツ。
【請求項５】
前記パンツ本体と前記陰嚢収容部との間に、前記陰嚢収容部を前記パンツ本体に密着して固定させるための固定手段が設けられている、請求項３記載の男性用健康パンツ。
【請求項６】
前記パンツ本体と前記陰嚢収容部との間に、前記陰嚢収容部を前記パンツ本体に密着して固定させるための固定手段が設けられている、請求項１記載の男性用健康パンツ。
【請求項７】
前記陰茎収容部が、
前記陰茎の突き出た方向に切り開かれた切開部を有し、一端は前記陰茎開口部に結合され、他端は陰茎を取り囲むように延びている外皮部材と、
前記切開部の両側にそれぞれ結合され、前記切開部を開閉するファスナーと、
前記ファスナーが陰茎に接触しないように前記ファスナーの内側に配置され、前記ファスナーが開放されると広がるようになっている連結部材と、
を含む、請求項１記載の男性用健康パンツ。
【請求項８】
前記連結部材が、前記外皮部材と前記ファスナーのストリップとの間に挿入され、前記外皮部材及び前記ファスナーのストリップとが一体に製縫されている、請求項７記載の男性用健康パンツ。
【請求項９】
前記外皮部材及び前記連結部材の少なくとも一つが、少なくとも一部に麻布及び／又は綿織物を含む、請求項７記載の男性用健康パンツ。
【請求項１０】
前記連結部材が、前記外皮部材から分離した非結合部分を有する、請求項７記載の男性用健康パンツ。
【発明の詳細な説明】
【０００１】
〔技術分野〕
本発明は、男性用健康パンツに関し、より詳しくは、使用者の装用感を向上し得るように、陰茎及び陰嚢がパンツから自然に突き出て、分離されたチューブに収容できるようにした男性用健康パンツに関する。
【０００２】
〔背景技術〕
一般に、男性用パンツは、その外観形状から「ブリーフ型」または「トランクス型」に大別され、汗などの吸収を考慮して綿素材で作製されている。男性用パンツの前面には、小便時に陰茎をパンツから取り出すことができるように前開きが形成されている。
【０００３】
最近では着こなしが強調される趨勢から、男性用パンツも、着用時に人体に密着するように形成される傾向がある。使用者がこのような男性用パンツを着用すると、陰茎及び陰嚢がパンツ本体の弾力性によって相互に密着するので、陰嚢の温度が上昇する。したがって、睾丸及び副睾丸の精子の生成及び培養能力が低下するだけでなく、嚢湿症及び／または湿疹などを誘発するなどの問題点がある。
【０００４】
このような問題点を考慮した男性用健康パンツが、大韓民国実用新案公開公報第９６−２８０６９号明細書（以下「第１先願考案」という）の「健康パンツ」及び大韓民国実用新案公開公報第２０００−３２５７号明細書（以下「第２先願考案」という）の「陰嚢袋を備えた健康パンツ」にそれぞれ開示されてある。
【０００５】
図１は、第１先願考案に係る男性用健康パンツを示した斜視図である。
図１を参照すると、第１先願考案による男性用健康パンツ１１０は、パンツ本体１１１と、このパンツ本体１１１の内部前面に配置され、陰茎取り出し口１３１及び陰嚢開口部１２５をそれぞれ有する分離帯本体１２１と、この陰茎取り出し口１３１に一端が固定され、他端は陰茎を内部に収容するように陰茎の長手方向に延びている陰茎収容部１２７と、縫うことにより麻布を取り付けて陰嚢と接触するようにした、この陰嚢開口部１２５の下側に形成されている陰嚢収容部１２９と、を含む。
そして、陰嚢開口部１２５の周囲には、陰嚢支持部１３３が形成されている。
【０００６】
この第１先願考案の男性用健康パンツ１１０は、陰茎及び陰嚢を相互に分離する分離帯本体１２１、陰茎収容部１２７及び陰嚢収容部１２９を設けている。それでいて、分離帯本体１２１、陰茎収容部１２７及び陰嚢収容部１２９は、パンツ本体１１１の内部に位置するので、人体に密着しようとするパンツ本体１１１の弾力性によって、陰茎及び陰嚢が圧迫される。したがって、相互密着が容易に起こり、陰嚢の温度が上昇する。こうして、十分な効果を期待することができない。
【０００７】
しかも、陰茎が突き出るための陰茎取り出し口１３１の周囲のバンド及び陰嚢開口部１２５の周囲の陰嚢支持部１３３は、比較的弾力性の強い材料、たとえばゴムバンドなどで形成され、それにより、着用時に不快感を誘発させるだけでなく、酷い場合は陰茎及び陰嚢の外皮に損傷を与えかねないという問題点がある。
【０００８】
図２は、第２先願考案に係る男性用健康パンツを示した斜視図であり、図３は、図２示す第２先願考案に係る男性用健康パンツの縦断面を示す。
図２及び図３を参照すると、この第２先願考案による男性用健康パンツは、陰嚢を収容できるように所定の高さに突き出た陰嚢袋１４３を含む。しかも、その内部は、陰嚢の形状に対応して凹状にのみ形成されている。したがって、陰嚢袋１４３は、陰茎及び陰嚢を同時に収容することができない。
【０００９】
陰茎及び陰嚢が同時に収容されると、第２先願考案は、一般の男性用パンツよりも、陰茎及び陰嚢に対する圧迫による不快感が一層大きくなる。さらに、陰嚢の温度が上昇して、精子の生成能力及び培養能力が格段に低下し、それにより十分な効果を期待することができない。
【００１０】
〔発明の開示〕
本発明は、このような従来技術の限界、不都合な問題点を解決するためになされた男性用健康パンツである。
【００１１】
本発明の目的は、パンツ本体から自然に突き出た陰茎及び陰嚢を、分離して収容し、陰茎と陰嚢の間の相互接触による温度上昇を抑制し得る男性用健康パンツを提供することである。
【００１２】
本発明の他の目的は、使用者の小便等の便宜性を向上し得るように、陰茎収容部の開閉が容易に行われるように構成された男性用健康パンツを提供することである。
【００１３】
本発明のさらなる特徴と効果は以下の説明に述べられ、一部はこれらの説明から明白であるか、本発明の実施によって知ることができる。本発明の目的及び他の効果は、詳細な説明、その特許請求の範囲及び添付した図面に特に指摘された構成により実現され、得ることができるであろう。
【００１４】
これらの及び他の効果を達成するため、並びに本発明の目的に従う、男性用健康パンツは、使用者の陰茎及び陰嚢をそれぞれ取り出すことができる陰茎開口部及び陰嚢開口部を有するパンツ本体と、両端が開放されたチューブ形状を有し、その一端が陰茎開口部に結合され、この陰茎開口部を通してパンツ本体から突き出た陰茎が収容される陰茎収容部と、一端が陰嚢開口部に結合され、この陰嚢開口部を通してパンツ本体から突き出た陰嚢が収容される陰嚢収容部と、を含む。
【００１５】
好ましくは、陰茎収容部は、長手方向に沿って切り開かれ、この切開部分には結合手段が設けられ、内部に収容された陰茎が外部に露出できるようになっている。
【００１６】
好ましくは、陰茎収容部の切開部分は、その切開部分が相互に重畳するように配置され、結合手段はこの重畳する部分に設けられている。
【００１７】
好ましくは、陰嚢収容部の先端部は開放されている。好ましくは、陰嚢収容部は、この陰嚢収容部の先端を開閉する開閉手段を含む。好ましくは、パンツ本体と前記陰嚢収容部との間には、陰嚢収容部をパンツ本体に密着して固定させるように、固定手段が設けられている。
【００１８】
好ましくは、陰茎収容部は、陰茎が突き出た方向に切り開かれた切開部（その一端は陰茎開口部に結合され、他端は陰茎を取り囲むように延びている）を有する外皮部材と、切開部の両端にそれぞれ結合されて切開部を開閉するファスナーと、ファスナーが陰茎に接触しないようにファスナーの内側に配置されると共に、前記ファスナーが開放されると広がることができる連結部材と、を含む。
【００１９】
好ましくは、連結部材は、両側部が外皮部材とファスナーのストリップとの間に挿入されて、外皮部材及びファスナーのストリップと一体に製縫されている。
【００２０】
好ましくは、外皮部材及び連結部材の少なくとも一つは、少なくとも一部に麻布及び／又は綿織物を含むように構成されている。
【００２１】
好ましくは、連結部材は、外皮部材と分離された非結合部分を有している。
【００２２】
本発明は、パンツ本体から突き出た陰茎及び陰嚢が、別々に陰茎及び陰嚢チューブに収容され、使用者の装用感を向上し、また陰嚢の自己膨張／収縮によって温度を制御して、周囲を健康的な雰囲気に維持することを特徴とする。
【００２３】
また本発明は、使用者の必要に応じて、開放して小便等に際して簡便に陰茎を引き出すことができるように、ファスナーが陰茎収容チューブの長手方向に設けられていることを特徴とする。
【００２４】
以上に述べた一般的な記載及び次の詳細な説明は、いずれも代表的及び例示的なものであり、特許請求の範囲としての本発明を更に説明することを意図していることが理解されよう。
【００２５】
本明細書の一部を構成する添付図面は、本発明を更に理解するためのものであり、本発明の実施形態を説明し、本明細書とともに、本発明の原理を理解するのに有用である。
【００２６】
〔発明を実施するための最良の形態〕
本発明の好適な実施態様は、添付された図面に記載された実施例により、詳細に説明される。
【００２７】
図４は、本発明に係る男性用健康パンツの第１実施形態を示す斜視図であり、図５は、図４の男性用健康パンツの縦断面図である。図４及び図５を参照すると、本発明の第１実施形態の男性用健康パンツは、前面に陰茎開口部１５及び陰嚢開口部１７がそれぞれ形成されたパンツ本体１１と、両端が開放されたチューブ形状を有し一端がこの陰茎開口部１５に結合されて内部に陰茎が収容される陰茎収容部１９と、両端が開放されたチューブ形状を有し一端がこの陰嚢開口部１７に結合されて内部に陰嚢が収容される陰嚢収容部２１と、を含む。
【００２８】
パンツ本体１１の上端にはバンド部１２が形成され、その下端には両脚を通す一対の脚開口部１３が形成されている。
【００２９】
通気性及び陰茎との接触性を考慮すると、この陰茎収容部１９は、ざらざらした材料、たとえば麻布などにより形成されていることが好ましい。そして、陰嚢収容部２１は、麻布または綿素材を用いてチューブ状に形成されている。
【００３０】
このように構成された男性用健康パンツを着用する方法は、次の記載により説明される。
【００３１】
先ず、脚開口部１３に使用者の両脚が挿入された状態で、パンツ本体１１のバンド部１２が上側に引き上げられる。すると、使用者の陰茎が、陰茎開口部１５を通して自然にこのパンツ本体１１から突き出て陰茎収容部１９に収容される。また、陰嚢も、陰嚢開口部１７を通して、このパンツ本体１１から突き出て陰嚢収容部２１に収容される。
【００３２】
このとき、陰茎及び陰嚢は、パンツ本体１１が自らの弾力性により人体に密着されても、パンツ本体１１から突き出たまま陰茎収容部１９及び陰嚢収容部２１にそれぞれ収容される。こうして、パンツ本体１１の弾力性によって、陰茎及び陰嚢が圧迫されることがない。すなわち、陰茎は、陰茎開口部１５を通してパンツ本体１１から突き出るので、自然の状態に維持され、また陰嚢収容部２１に収容された陰嚢は、重力に沿って垂れているので、自ら伸縮して温度を適切に調節する。故に、常に健康な状態を維持する。
【００３３】
図６は、本発明の第２実施形態による男性用健康パンツの陰茎収容部を示す斜視図である。本発明の第２実施形態を説明するために、第１実施形態に類似する又は等価の部分は、図４及び図５に示されている。
【００３４】
図６を参照すると、本発明の第２実施形態による男性用健康パンツは、前面に陰茎開口部１５及び陰嚢開口部１７がそれぞれ形成されたパンツ本体１１と、両端が開放されたチューブ形状を有し陰茎を通すためにその一端が陰茎開口部１５に結合している陰茎収容部２９と、陰嚢を内部に収容するように一端が陰嚢開口部１７に結合されている陰嚢収容部２１と、を含む。
【００３５】
特に、陰茎収容部２９の一端は、陰茎開口部１５の周囲に結合されて固定されている。陰茎収容部２９は、長手方向に切り開かれ、この切開部の両端は周囲方向に所定の長さで相互に重畳するように延びている。
【００３６】
そして、着脱可能で、Ｖｅｌｃｒｏ又はマジックテープと呼ばれる、繊維材質の接着部材２９ａ、２９ｂが、切開部分の重畳する端部の相互に接触する領域に取り付けられている。
【００３７】
陰茎開口部１５を通してパンツ本体１１から突き出た陰茎を外部に露出させようとする場合、本発明の第２実施形態の男性用健康パンツは、陰茎収容部２９の重畳された領域の端部を引っ張ることにより、接着部材２９ａ、２９ｂが相互に分離して、陰茎を外部に簡便に引き出すことが可能になる。
【００３８】
図７は、本発明に係る男性用健康パンツの第３実施形態の陰嚢収容部を示す斜視図である。本発明の第３実施形態を説明するために、第１実施形態に類似する又は等価の部分は、図４及び図５を参照して説明される。
図７を参照すると、本発明の第３実施形態の男性用健康パンツは、第２実施形態と同様に、前面に陰茎開口部１５及び陰嚢開口部１７がそれぞれ形成されたパンツ本体１１と、両端が開放されたチューブ形状を有しその一端が陰茎開口部１５に結合されている陰茎収容部１９と、内部に陰嚢が収容されるように一端がこの陰嚢開口部１７に結合され固定されている陰嚢収容部３５と、を含む。特に、前記パンツ本体１１には、陰嚢収容部３５の端部をパンツ本体１１に固定するように、陰嚢収容部３５の他端に一対の固定バンド３８ａ、３８ｂが形成されている。
【００３９】
すなわち、複数のバンド通過孔３７が、陰嚢収容部３５の他端に形成されていて、固定バンド３８ａ、３８ｂを通す。固定バンド３８ａ、３８ｂの一端は、それぞれパンツ本体１１に固定され、固定バンド３８ａ、３８ｂの他端は、各バンド通過孔３７をジグザグに通過して陰嚢収容部３５から飛び出している。本発明の第３実施形態の男性用健康パンツでは、陰嚢収容部３５がパンツ本体１１に固定されると、各固定バンド３８ａ、３８ｂが固定のために交差する方向に引っ張られ、陰嚢収容部３５の他端がパンツ本体１１に緊密に固定される。この時、固定バンド３８ａ、３８ｂを締め付ける程度によって、陰嚢収容部３５の開閉の程度を調節することができる。
【００４０】
本発明の第３実施形態の男性用健康パンツにおいては、一対の固定バンドが陰嚢収容部を締め付け、同時にパンツ本体に陰嚢収容部を固定する。本発明の第３実施形態は、陰嚢収容部の端部を開閉できる開閉手段、たとえば、Ｖｅｌｃｒｏ、マジックテープ又はスナップボタン等、を更に含むことができる。しかも、本発明の第３実施形態は、更に陰嚢収容部とパンツ本体の間の領域に接触して固定する手段、たとえば、Ｖｅｌｃｒｏ、マジックテープ又はスナップボタン等、を別途に形成することもできる。
【００４１】
また、本発明の第３実施形態においては、固定バンドが陰嚢収容部の他端に形成された複数の貫通孔をジグザグに通すように構成しているが、代わりに、陰嚢収容部の他端に固定バンド収容部を含み、固定バンドが周囲方向に沿って一部が収容され、固定バンドの自由端が露出して延びていることもできる。
【００４２】
本発明の第１〜３実施形態は、陰茎収容部及び陰嚢収容部がパンツ本体に結合し固定されているが、代わりに陰茎収容部及び陰嚢収容部をパンツ本体から着脱可能に構成することもできる。また、図６及び図７に関連する本発明の第２、第３実施形態は、図６の陰茎収容部と図７の陰嚢収容部を、図４及び図５に関連して第１実施形態に適用された場合を述べている。代わりに、図６と図７の陰茎収容部と陰嚢収容部を、図４及び図５の男性用健康パンツに適用することもできる。
【００４３】
図８は、本発明に係る男性用健康パンツの第４実施形態を示す斜視図であり、図９は、図８に示した男性用健康パンツにおいて、ファスナーの開放状態を示す斜視図であり、そして図１０は、図８のＸ−Ｘ線の拡大断面図である。図８〜図１０を参照すると、本発明の第４実施形態の男性用健康パンツは、陰茎が自然に突き出る陰茎開口部４２を有するパンツ本体４１と、一端がこの陰茎開口部４２に結合され他端が陰茎の突き出る方向に沿って延びパンツ本体から突き出る陰茎を収容する陰茎収容部５１と、を含む。
【００４４】
このパンツ本体４１は、一対の脚開口部４６を下部の両側に有する三角形状を有し、それにより使用者の両脚が脚開口部４６に出し入れ可能である。そして、陰茎開口部４２の下側のパンツ本体４１は、陰嚢の取り出しができるように陰嚢開口部４４が形成されている。袋状の陰嚢収容部６１が陰嚢開口部４４に結合され、パンツ本体４１から突き出る陰嚢を自然に収容することができる。
【００４５】
特に、陰茎収容部５１は、陰茎が突き出る方向に沿って切り開された切開部５４を有し、一端が陰茎開口部４２に結合された外皮部材５３と、この外皮部材５３の切開部５４の両端部に沿って結合されて切開部５４を開閉させるファスナー５５と、このファスナー５５と陰茎とが相互に接触することを防止できるようにファスナー５５と陰茎との間に配置され両端部が外皮部材５３の切開部５４に結合されている連結部材５８と、を含む。
【００４６】
この場合、外皮部材５３は、四角形状を有して広げられている。陰茎を内部に収容するのに十分な内径が外皮部材５３によって提供される。外皮部材５３の上面には、長手方向に切開部５４が形成され、この切開部５４の両側には、ファスナー５５のストリップ５６が結合されている。また、連結部材５８は、両側の部分が外皮部材５３とファスナー５５のストリップ５６との間にそれぞれ配置されて、外皮部材５３及びストリップ５６と一体に製縫されている。
【００４７】
連結部材５８は、陰茎収容部５１の上側から下側に行くほど、次第に広くなる三角形状を有する。したがって、ファスナー５５が開放されると、陰茎収容部５１の下側が陰茎開口部４２に向かう上側よりも幅が広くなっている。
【００４８】
図中、符号２７はファスナー５５の歯で、５９は製縫された糸を示す。
【００４９】
加えて、外皮部材５３及び連結部材５８は、綿織物及び／または麻布の一つで形成することができる。また代わりに、外皮部材５３及び連結部材５８を綿織物で形成し、内部の所定位置に麻布からなる接触片（図示せず）を取り付けて、陰茎と接触及び／または摩擦するようにして、機能性強化を図ることもできる。
【００５０】
このように構成された本発明の第４実施形態の男性用健康パンツにおいては、脚開口部４６を通して両脚をパンツ本体に入れた状態でパンツ本体４１を上側に引き寄せると、陰茎及び陰嚢が陰茎開口部４２及び陰嚢開口部４４を通してパンツ本体４１から突き出て陰茎収容部５１及び陰嚢収容部６１にそれぞれ自然に収容される。
【００５１】
一方、使用者が、小便時には、外皮部材５３の切開部５４が開放されるように、ファスナー５５の取っ手を掴んで陰茎開口部４２の側に引くと、外皮部材５３の先端が両側に広がり、陰茎を容易に外部に露出させることができる。
【００５２】
図１１は、本発明に係る男性用健康パンツの第５実施形態を示す斜視図及び要部大図である。本発明の第５実施形態を説明するために、第４実施形態に類似する又は等価の部分は、同一の符号を用いており、それらの記載は以下では省略する。
図１１を参照すると、本発明の第５実施形態の男性用健康パンツは、パンツ本体４１と、このパンツ本体４１にそれぞれ結合された陰茎及び陰嚢を、別々に収容する陰茎収容部５１及び陰嚢収容部６１と、を含む。
【００５３】
陰茎収容部５１は、陰茎が突き出た方向に沿って切り開かれた切開部５４を有し、一端が陰茎開口部４２に結合された外皮部材５３と、この外皮部材５３の切開部５４の両側に結合されこの切開部５４を開閉するファスナー５５と、このファスナー５５と陰茎とが相互に接触することを防止するためにファスナー５５と陰茎との間に配置されて両側が外皮部材５３の切開部５４に結合されている連結部材５８と、を含む。
【００５４】
特に、連結部材５８の一方の側は、この切開部５４に沿って製縫され、外皮部材５３に完全に結合されている。しかし、連結部材５８の他方の側は、パンツ本体４１から所定の長さだけが、外皮部材５３とファスナー５５のストリップ５６との間に部分的に挿入されて一体に製縫されている。そして、連結部材５８の他方の側の残りの部分は、小便時に陰茎の引出しを容易に行い得るように、外皮部材５３及びファスナー５５のストリップ５６から分離された非結合部分Ｌを形成するようにして、製縫されていない。
【００５５】
このように、本発明の第４、第５実施形態は、陰茎収容部の全長に亘って切開部が形成されているが、代わりに、陰茎収容部の先端から長手方向に所定の長さだけ切開部を形成することもできる。
【００５６】
本発明の第４、第５実施形態は、陰茎収容部の上側に切開部を形成しているが、使用及び設計条件によっては、陰茎収容部の左側または右側に切開部を形成することもできる。
【００５７】
〔産業上の利用可能性〕
本発明に係る上記の構成及び操作方法の男性用健康パンツにおいては、パンツ本体から陰茎及び陰嚢が圧迫を受けずに突き出るように陰茎開口部及び陰嚢開口部をそれぞれ形成し、パンツ本体から突き出た陰茎及び陰嚢を収容するために陰茎開口部及び陰嚢開口部にそれぞれ陰茎収容部及び陰嚢収容部を形成して、それにより陰茎及び陰嚢が自然に分離して収容されるように構成することで、パンツ使用者の装用感を向上させると共に、陰嚢が自ら伸縮して温度調節を行うので、常に健康な状態を維持し得る効果がある。
【００５８】
また、陰茎収容部の長手方向に設けられたファスナーを有する本発明の男性用健康パンツは、使用者の必要によって開放できるようにしてあり、使用者の小便時などに非常に便利であるという効果がある。
【００５９】
本明細書において、好適な実施形態を参照して本発明を述べ説明したが、当業者にとって、本発明の精神及び範囲から逸脱することなく種々の改良や変形があり得ることが明らかであろう。したがって、本発明は、特許請求の範囲及びその均等の範囲の中での改良や変形態様をカバーするものである。
【図面の簡単な説明】
【図１】  第１先願考案に係る男性用健康パンツを示す斜視図である。
【図２】  第２先願考案に係る男性用健康パンツを示す斜視図である。
【図３】  図２の第２先願考案に係る男性用健康パンツの縦断面である。
【図４】  本発明に係る男性用健康パンツの第１実施形態を示す斜視図である。
【図５】  図４の縦断面図である。
【図６】  本発明に係る男性用健康パンツの第２実施形態の陰茎収容部を示す斜視図である。
【図７】  本発明に係る男性用健康パンツの第３実施形態の陰嚢収容部を示す斜視図である。
【図８】  本発明に係る男性用健康パンツの第４実施形態を示す斜視図である。
【図９】  図８の男性用健康パンツにおいて、ファスナーの開放状態を示す斜視図である。
【図１０】  図８のＸ−Ｘ線の拡大断面図である。
【図１１】  本発明に係る男性用健康パンツの第５実施形態を示す斜視図及び要部大図である。
【図１】
0003699449.tif 000002
【図２】
0003699449.tif 000003
【図３】
0003699449.tif 000004
【図４】
0003699449.tif 000005
【図５】
0003699449.tif 000006
【図６】
0003699449.tif 000007
【図７】
0003699449.tif 000008
【図８】
0003699449.tif 000009
【図９】
0003699449.tif 000010
【図１０】
0003699449.tif 000011
【図１１】
0003699449.tif 000012